(57)【要約】      （修正有）【課題】茶漉しの取付け取外しを容易にし、さらに品質安定にして簡単に製造でき、急須本体の生産性を高める茶漉し付き急須を提供する。【解決手段】一端に通湯口21を形成し他端に注口22を形成する筒状体にすると共に、該通湯口の上縁部分に凹みを形成し、さらに該凹み相当分だけ通湯口から注口側へ奥に入った筒状体の内壁に内鍔24を設けた注出部と、該注出部に相当する部分が欠落して開口する接続部を設け、該接続部には内鍔24に対向する部位を延設して張出部分34aが形成される茶器本体とが、注出部の通湯口21を接続部34に接合一体となし、凹みと接続部34の開口縁とで通湯口21の上側に細長孔10を形成する急須本体1と、網状体又は多孔板からなる茶漉し本体部60を有する平板状体で、細長孔10から急須本体1に挿着することにより通湯口21を仕切って内鍔24と張出部分34aとで係止される茶漉し6と、を具備する。【選択図】図１
0003137415.tif 000002
【実用新案登録請求の範囲】
【請求項１】
一端に通湯口を形成し他端に注口を形成する筒状体にすると共に、該通湯口の上縁部分に両側部を残して所定幅で切欠く凹みを形成し、さらにこの凹み相当分だけ通湯口から注口側へ奥に入った筒状体の内壁に内鍔を設けた注出部(2)と、該注出部に相当する部分が欠落して開口する接続部を設け、該接続部には前記内鍔に対向する部位を延設して張出部分が形成される茶器本体(3)とが、前記注出部の通湯口を該接続部に接合し焼き固めて同化一体となし、前記凹みと前記接続部の開口縁とで通湯口の上側に細長孔を形成する急須本体(1)と、
網状体又は多孔板からなる茶漉し本体部を有する平板状体で、該細長孔から該急須本体に挿着することにより通湯口を仕切って前記内鍔と前記張出部分とで係止される茶漉し(6)と、を具備することを特徴とする茶漉し付き急須。
【請求項２】
前記内鍔及び前記張出部分がそれぞれ側面視Ｕ字形に設けられ、さらに前記茶漉しが急須本体への挿着で、細長孔よりも上方に突出する茶漉し上端部を設けるようにした請求項１記載の茶漉し付き急須。
【考案の詳細な説明】
【技術分野】
【０００１】
本考案は着脱自在に急須本体に茶漉しが取付けられる茶漉し付き急須に関する。
【背景技術】
【０００２】
本出願人は、先に茶漉しを必要に応じ取り外し可能にして掃除等を行い易くした着脱自在式の茶漉し付き急須を提案した(特開平８−１８１７９号)。この茶漉し付き急須は茶漉しが急須本体内を仕切って取付けられている。しかし、着脱自在式といっても素人には取付け取外しが難しかった。こうしたことから、本出願人はさらに改良を加えて、茶漉しを必要に応じ取外し可能にして適宜掃除等を行いやすくした着脱式の茶漉し付き急須を提案した（例えば特許文献１）。
【０００３】
【特許文献１】特開２００４−２３０１０１公報
【考案の開示】
【考案が解決しようとする課題】
【０００４】
しかるに、特許文献１は、通湯口の両側で通湯口寄りの茶器本体に係る胴部内面に凸部が突出形成される急須本体に茶漉しが着脱自在に取付けられる茶漉し付き急須であるが、そもそも急須本体の製造が難しかった。前記凸部とここから通湯口に至る胴部の平面視円弧状の側壁部分とで、茶漉しの両側縁部分が係止されて茶漉しを起立させる構成になっており、凸部の位置合わせが非常に難しかった。凸部は後加工で胴部内面に固着するが、その後加工に結構な手間を要した。しかも、凸部の位置が僅かにずれるだけで茶漉しが起立状態を保つことができず品質上問題があった。
【０００５】
本考案は上記問題点を解決するもので、茶漉しの取付け取外しを容易にし、さらに品質安定にして簡単に製造でき、急須本体の生産性を高める茶漉し付き急須を提供することを目的とする。
【課題を解決するための手段】
【０００６】
上記目的を達成すべく、請求項１に記載の考案の要旨は、一端に通湯口を形成し他端に注口を形成する筒状体にすると共に、該通湯口の上縁部分に両側部を残して所定幅で切欠く凹みを形成し、さらにこの凹み相当分だけ通湯口から注口側へ奥に入った筒状体の内壁に内鍔を設けた注出部(2)と、該注出部に相当する部分が欠落して開口する接続部を設け、該接続部には前記内鍔に対向する部位を延設して張出部分が形成される茶器本体(3)とが、前記注出部の通湯口を該接続部に接合し焼き固めて同化一体となし、前記凹みと前記接続部の開口縁とで通湯口の上側に細長孔を形成する急須本体(1)と、
網状体又は多孔板からなる茶漉し本体部を有する平板状体で、該細長孔から該急須本体に挿着することにより通湯口を仕切って前記内鍔と前記張出部分とで係止される茶漉し(6)と、を具備することを特徴とする茶漉し付き急須にある。
請求項２の茶漉し付き急須は、請求項１で、内鍔及び張出部分がそれぞれ側面視Ｕ字形に設けられ、さらに前記茶漉しが急須本体への挿着で、細長孔よりも上方に突出する茶漉し上端部を設けるようにしたことを特徴とする。
【考案の効果】
【０００７】
本考案の茶漉し付き急須は、簡単に製造できるのみならず品質が安定する急須本体の製造を可能にして、しかも茶漉しの取付け取外しを容易とし、茶漉しがいつも清潔に維持できるなど優れた効果を発揮する。
【考案を実施するための最良の形態】
【０００８】
以下、本考案に係る茶漉し付き急須について詳述する。
（１）実施形態１
図１〜図７は本考案の茶漉し付き急須の一形態で、図１はその説明縦断面図、図２は図１の茶器本体の中央縦方向に切断して注出部側を見た縦断面図、図３は図１の急須本体を合体する前の注出部と茶器本体の分解断面図、図４は注出部の別態様品の斜視図、図５は急須本体の縦断面図、図６は図５の平面図、図７は図６の急須本体の一定高さで切断した水平断面図である。
【０００９】
茶漉し付き急須は、急須本体１と蓋４と茶漉し６を備える。急須本体１は、陶磁器製で別々に製造した注出部２と茶器本体３とを接合し焼き固めて同化一体としたものである(図１)。
【００１０】
注出部２は一端に通湯口２１を形成し他端に注口２２を形成する筒状体である(図３)。大きな口の通湯口２１から小さな口の注口２２までの通湯路２０ａを漏斗状にすぼめた注出部２にする。注出部２は石膏型等を用いて陶磁器用の土にて成形される。焼き物になる手前の成形品である。通湯口２１は図４のごとくほぼ四角形とし、その高さは茶器本体３の高さ方向で最大限確保できる大きさとする(図５)。茶漉し６の高さ方向をできる限り大きくし湯通し面積をかせぐためである。また通湯口２１の横幅は茶器本体３の横幅に近づくことのできる最大限確保できる大きさとしている(図７)。茶漉し６が挿着される細長孔１０の十分な長さが確保されるからである。
注出部２の通湯口２１の上縁部分２３には両側部２３ａを残して所定幅で切欠く凹み２３ｂが形成される(図６)。注出部２の通湯口２１を茶器本体３の接続部３４の開口３４ｄに合わせて接合一体化させると、急須本体１になるが、このとき、該凹み２３ｂは茶器本体３の接続部３４の開口縁に当接して前記細長孔１０になる。前記両側部２３ａは例えば図６のごとく注出部２の側壁肉厚分とその近辺部分を僅かに残すだけとする。細長孔１０の全長が長くなり、その分、大きな茶漉し６を取付けることができるからである。
注出部２には、さらにこの凹み相当分だけ通湯口２１から注口２２側へ奥に入った筒状体２０の内壁に内鍔２４が設けられる。内鍔２４は急須本体１になったとき、図１のごとく茶器本体３の底部３０に対し、鍔面がほぼ垂直になるよう設定される。本実施形態は凹み２３ｂの縁に内鍔２４を設けるが、凹み２３ｂよりも少し注口側の奥へ進んだ筒状体２０内壁に内鍔２４を設けてもよい。斯かるケースも、本考案でいう「凹み相当分だけ通湯口２１から注口２２側へ奥に入った筒状体２０の内壁に内鍔２４を設ける」に該当する。ここでの内鍔２４は図１,図３のように一定幅の環状鍔を形成するが、図４のごとく凹み２３ｂがある注出部２の上面側の鍔部分をなしにした側面視Ｕ字形に設けるとより好ましくなる。側面視Ｕ字形の内鍔２４でも茶漉し６の細長孔１０からの急須本体１への挿着で、茶漉し６が通湯口２１を仕切って該内鍔２４と張出部分３４ａとで十分係止されるからである。また図４のごとく側面視Ｕ字形の内鍔２４にすると、図１でいえば、茶漉し６本体を塞いでいた注出部２の上面側内鍔２４の部分がなくなる分、湯通しも一段と良くなるからである。
【００１１】
茶器本体３は前記注出部２に相当する部分が欠落して開口する接続部３４を設けた注出部２なしの急須本体である(図３)。茶器本体３も石膏型等を用いて陶磁器用の土にて成形される。焼き物になる手前の成形品である。円形底部３０と円筒形胴部３１とで茶葉,湯が収容される上面解放口の収容部３６を形成し、さらに該胴部３１の一部が開口して前記注出部２と接合する接続部３４と、胴部上縁から開口導入部３３を確保して胴部内壁に設けたフランジ部３２と、胴部外面に固着される把手３９とを備えた茶器本体３とする。円筒形胴部３１とすることで、開口導入部３３の茶葉,お湯を入れる口が大きくなり、掃除する時などに手を茶器本体３内に入れ易くなっている。
該茶器本体３の接続部３４には前記内鍔２４に対向する部位３４ｂを延設して張出部分３４ａが形成される。ここでは、通湯口２１の大きさに一致する開口の接続部３４とするのでなく、内鍔２４の内周縁に対向する位置まで開口３４ｄを小さくするよう胴部３１を延設し、この延設部分を張出部分３４ａとする。
【００１２】
急須本体１は前記注出部２の通湯口２１の開口縁たる接合部分２０ｂと前記接続部３４の接合部分３４ｂとに焼き物用泥を付けて接合し、注出部２と茶器本体３とを焼き固めて同化一体とした急須の本体側陶磁器である。注出部２と茶器本体３との同化一体により、凹み２３ｂと接続部３４の開口縁(詳しくは上側開口縁)とで形成する細長孔１０が通湯口２１の上側に設けられる。符号Ｓは注出部２と茶器本体３との接合部を示す。
茶器本体３と注出部２が一体化し、急須本体１になったときに、前記張出部分３４ａの面と前記内鍔２４の面とがほぼ平行になるよう設定される。張出部分３４ａと内鍔２４との間隔が細長孔１０の孔幅にほぼ等しくなり、茶漉し６を挿入できる幅が確保される。
【００１３】
茶漉し６は網状体又は多孔板からなる通水性の茶漉し本体部６０を有する平板状体である。茶漉し６は、前記細長孔１０に挿着できる横幅を有し、細長孔１０から前記急須本体１に挿着することにより通湯口２１を仕切って前記内鍔２４と前記張出部分３４ａとで係止される構成にある。ここでの茶漉し６は、図１のごとく平板状でほぼ四角形の金網からなる茶漉し本体部６０と、この外周縁を埋設して茶漉し本体部６０と一体化されるシリコーン樹脂等の樹脂製ガード部材６１とからなる。茶漉し６は網状体又は多孔板からなる茶漉し本体部６０だけで構成できるが、帯状にして茶漉し本体部６０の外周縁を埋設して茶漉し本体部６０に一体となるガード部材６１が設けられる。金網を扱うときに怪我し易いその外周縁が樹脂製ガード部材６１で被覆されるので、怪我防止になる。
ガード部材６１は茶漉し本体部６０を帯状に周回するが、上側部分はその帯幅を大きくする。斯かる構成にして、茶漉し６の急須本体１への挿着で、細長孔１０よりも上方に突出する茶漉し上端部６ａが設けられる。急須本体１の胴部３１の外周上部は図１のごとく弧状に丸くなっており、さらに細長孔１０よりも上方に突出する茶漉し上端部６ａが設けられることで、この部分が手で掴みやすくなる。茶漉し６の急須本体１への取付けや急須本体１からの茶漉し６の取外しが楽になる。
【００１４】
蓋４は前記フランジ部３２上に載置可能な外周を有し、開口導入部３３から急須本体１の上面解放口に蓋４をすることのできる円盤体である。蓋４の上面中央にはつまみ４２が設けられ、蓋本体４１に通気孔４３が穿設される。
【００１５】
次に、上記構成の茶漉し付き急須の一使用方法を説明する。まず、茶漉し６を図１の矢印のごとく細長孔１０から通湯口２１内へ挿入する。細長孔１０に挿入された茶漉し６は内鍔２４と張出部分３４ａにガイドされて円滑に下降し、茶漉し６の下縁部分が通湯口２１の下側に達する。茶漉し６の下縁部分が通湯口２１の下側、すなわち筒状体２０の内底に達して茶漉し６が急須本体１に挿着されると、茶漉し６は急須本体１の両サイドに在る内鍔２４と張出部分３４ａ、さらに急須本体１の内底に在る内鍔２４と張出部分３４ａとで係止されて通湯口２１を仕切る。茶漉し６は内鍔２４と張出部分３４ａに挟まれた状態にあるため、垂直起立した状態を保つ。このときの茶漉し６の上端部は細長孔１０よりも上方に突出する。
【００１６】
そして、お茶を入れる場合、茶葉を収容部３６に投入後、お湯を収容部３６に注ぐ。蓋４をし、所定時間経てばお茶ができる。茶漉し付き急須を傾ければ、お茶は茶漉し６を通過し、通湯口２１,通湯路２０ａを通り、注口２２から湯飲みや茶碗等に注がれる。茶葉は茶漉し６により通過を阻止され収容部３６内にとどまる。使用済み茶葉を捨てる場合や茶漉し６が汚れてきた場合は、茶漉し６の上端部６ａを手でつまんで持ち上げる。これだけである。茶漉し６と急須本体１とが分離され、それぞれ洗うことができる。使用済み茶葉は収容部３６に水を入れて注口２２から一緒にシンクなどへ洗い流すことができる。
【００１７】
（２）実施形態２
図８,図９は別形態の茶漉し付き急須で、図８はその全体斜視図、図９は図８の茶器本体３の斜視図である。注出部２は通湯口２１の上縁部分２３に両側部２３ａを残して所定幅で切欠く凹み２３ｂを形成するが、両側部２３ａは通湯口２１側の注出部２に係る側壁の肉厚分だけになっている。そのため、急須本体１に設けられる最大限長さの細長孔１０が形成される。細長孔１０に挿着される茶漉し６の横長さ(水平長さ)も長くなり、湯通しを良くする。
また、茶器本体３は図９のごとく側面視Ｕ字形の張出部分３４ａが設けられる。該張出部分３４ａは実施形態１と異なり、内鍔２４に対向し且つ平行配設されるよう接続部３４からほぼ直角で屈曲して延設され、内フランジのごとく形成される。蓋４が取着される茶器本体３のフランジ部３２は胴部３１から延設された開口導入部３３の周縁に一致する。開口導入部３３の口が実施形態１よりも多少小さくなり、急須本体１内へ手が少し入りづらくはなっている。把手３９は図示のごとくデザイン性をもたせたものとする。他の構成は実施形態１と同じでその説明を省く。実施形態１と同一符号は同一又は相当部分を示す。
【００１８】
（３）効果
このように構成した茶漉し付き急須は、急須本体１への挿着時の茶漉し６を係止する内鍔２４及び張出部分３４ａが、注出部２及び茶器本体３の成形時に一体成形されるので、特許文献１の後加工がいらず、後加工の手間を省く。注出部２の成形時に内鍔２４が一体成形され、また茶器本体３の成形時に張出部分３４ａが一体成形されるので、その取付精度も良い。注出部２の通湯口２１を該接続部３４に接合し焼き固めて同化一体となる急須本体１が完成するので、内鍔２４及び張出部分３４ａの寸法狂いは生じない。手作業で凸部の位置がずれて品質不良になっていた特許文献１の問題は起こらない。簡単に製造できるのみならず、品質安定,生産性向上に寄与する急須本体１になる。通湯口２１の上縁部分２３に凹み２３ｂを形成して内鍔２４を設けた注出部２と、接続部３４に張出部分３４ａが形成される茶器本体３とを、注出部２の通湯口２１の側と接続部３４とを接合し一体となすことにより細長孔１０を形成する急須本体１になるので、細長孔１０から茶漉し６を差し込んで、内鍔２４と張出部分３４ａに該茶漉しを確実に係止させることができる。茶漉し６は内鍔２４と張出部分３４ａに係止されて起立保持して通湯口２１を仕切る。
【００１９】
また、細長孔１０はほぼ直線状のスリットになり、茶漉し６は殆どその形状を保ったまま細長孔１０から急須本体１へ取付けたり急須本体１から取外したりできるので、使い勝手がよい。茶漉し６が汚れた時には取出して洗い、いつも清潔に維持できる。茶漉し本体部６０の金網の洗浄ができ、目詰まりを起こさない。また、茶漉し６を抜いた状態で、急須本体１に水を入れ、注口２２から水と一緒に使用済み茶葉を簡単に捨てることができる。茶漉し６の取外しが簡単にできるので、急須本体１内も洗い易くなっている。特に、実施形態１の急須本体１は開口導入部３３の口が大きいので、茶漉し６を抜いた状態で急須本体１内に手を入れて洗い易くなっている。
【００２０】
さらに本茶漉し付き急須は、茶漉し６が急須本体１と別体であり、茶漉し６が傷んだ場合はスペアだけ用意しさえすれば、簡単に取替え可能になっている。
加えて、本茶漉し付き急須本体１は、注出部２の根元側の通湯口２１に茶漉し６を取付けるので、茶漉し６の面積を大きくすることができる。その結果、茶漉し本体部６０の茶湯の通り面積が大きくなるので、茶湯の通りが抜群になる。特に、実施形態１,２のごとく注出部２の通湯口２１の面積を大きくすると、茶漉し６も大きくなって茶湯の通りは一段とスムーズになる。
【００２１】
さらにいえば、茶漉し６に関しても、金網からなる茶漉し本体部６０の外周部を樹脂製ガード部材６１でカバーしているので、金網のほつれや金網の外周で指などを怪我することがなく安全であり、安心して使用できるなど極めて優れた茶漉し付き急須になっている。
【００２２】
尚、本考案においては、前記実施形態,実施例に示すものに限られず、目的,用途に応じて本考案の範囲で種々変更できる。急須本体１,注出部２,内鍔２４,茶器本体３,張出部分３４ａ,茶漉し６等の形状,大きさ等は用途等に合わせて適宜選択できる。
【図面の簡単な説明】
【００２３】
【図１】実施形態１の茶漉し付き急須の説明縦断面図である。
【図２】図１の茶器本体の中央縦方向に切断して注出部側を見た縦断面図である。
【図３】図１の急須本体を合体する前の注出部と茶器本体の分解断面図である。
【図４】注出部の別態様品の斜視図である。
【図５】急須本体の縦断面図である。
【図６】図５の平面図である。
【図７】図６の急須本体の一定高さで切断した水平断面図である。
【図８】実施形態２の茶漉し付き急須の全体斜視図である。
【図９】図８の茶器本体の斜視図である。
【符号の説明】
【００２４】
１          急須本体
１０        細長孔
２          注出部
２０        筒状体２０
２１        通湯口
２２        注口
２３ａ      両側部
２３ｂ      凹み
２４        内鍔
３          茶器本体
３４        接続部
３４ａ      張出部分
３４ｄ      開口
６          茶漉し
６０        茶漉し本体部
６ａ        茶漉し上端部
【図１】
0003137415.tif 000003
【図２】
0003137415.tif 000004
【図３】
0003137415.tif 000005
【図４】
0003137415.tif 000006
【図５】
0003137415.tif 000007
【図６】
0003137415.tif 000008
【図７】
0003137415.tif 000009
【図８】
0003137415.tif 000010
【図９】
0003137415.tif 000011